(57)【要約】      （修正有）【課題】安全に投げて遊べる玩具を提供する。【解決手段】容易に変形する０．５ｄｔｅｘ以下の極細繊維から構成される球状繊維束を標的に付着させる玩具であり、意匠性の高い柔軟な極細繊維から構成された球状繊維束を標的に付着させる安全なものである。使用方法としては、設定された標的に投げて付着させる他に、人が着てきる衣料にも付着させることも出来る。アクセサリーとして衣料に付着させたり、インテリヤとしても使用できる。単にキャッチボールのように使用することも可能である。更には、清掃具としても使用可能である。又、球状繊維束からなる玩具は洗濯が容易であり、繰り返し使用が可能である。幼児、年配者、療養者等にも利用可能な安全な玩具である。【選択図】図４
2006141740.tif 000002
【特許請求の範囲】
【請求項１】
繊維長が５０ｍｍ以上の０．５ｄｔｅｘ以下の極細繊維が中央部分で結束された球状繊維束からなり、投げる遊戯に使用されることを特徴とする投てき用玩具。
【請求項２】
該球状繊維束が的と可逆的な接合性を有することを特徴とする請求項１記載の投てき用玩具。
【請求項３】
該極細繊維が次のいずれかの繊維から得られることを特徴とする請求項２記載の投てき用玩具。
１）ポリエステルとポリアミドが長手方向に沿って接合され、接合比が１：１〜５：１である割繊性複合繊維である。
２）ポリオレフィンとポリアミドが長手方向に沿って接合され、接合比が１：１〜５：１である割繊性複合繊維である。
【発明の詳細な説明】
【技術分野】
【０００１】
本発明は、極細繊維の特性である付着性に着目した今までにない全く新しい玩具に関する。
【背景技術】
【０００２】
投てき、的当て等のゲームは以前より多くの提案がなされている。的当てゲームとしては、ダーツ、ビー玉、アーチェリー、ボーリング、カーリング等があるがキャッチボール、ドッチボールも同様と見ることが出来る。的に付着させる手段としては、相手が受け止める、針状な先端で突き刺す、吸盤や粘着物で貼り付ける等がある。一般的に投げるものは、鋭利な先端部を有するか、硬いものが多く、年少者や年配者には非常に危険でもある。
【０００３】
「投げて遊ぶ」ためのボールは色々な種類のものが知られている。野球の硬式ボールのような中実のもの。ハンドボール、バレーボールのような中空のものが一般的である。しかし、これらのボールは年少者や年配者が遊ぶには大きすぎたり重過ぎる。
【０００４】
ピンポン玉は軽くて小さいが、空気抵抗により軌道が大きく外れるので「投げて遊ぶ」のには適さないし、子供が誤って口に入れると危険な場合もある。
【０００５】
【特許文献１】特公昭５９−３０４１９号公報
【特許文献２】特開２００１−９５６１８号公報
【発明の開示】
【発明が解決しようとする課題】
【０００６】
本願発明は幅広い年齢層が楽しく利用できて、安全性に優れる、投げて遊ぶことの出来る投てき用玩具を得ることを目的とする。
【課題を解決するための手段】
【０００７】
本発明は、繊維長が５０ｍｍ以上の０．５ｄｔｅｘ以下の極細繊維が中央部分で結束された球状繊維束からなり、的と可逆的な接合性を有する投てき遊戯に使用されることを特徴とする玩具を提供するものである。
【発明の効果】
【０００８】
本願発明の玩具は、幅広い年齢層で安全に利用できる。また、非常に楽しい玩具である。
【発明を実施するための最良の形態】
【０００９】
以下本発明について詳細に説明する。本発明の主要な構成要件の一つは、繊維束を球状に構成したことである。具体的には、割繊性の複合繊維を中央部分で結束した繊維束を割繊することで、概球状を形成する。
【００１０】
従来、繊維を用いたボールとしては、長繊維をぐるぐる巻きにして塊状にしたもの、や特許文献１のように、短繊維を固めて球状にしたものなどが知られている。前者はゴルフボールなどの芯材として使われているものであり、その用途から見て軽量とはいえないし
、堅いものであるから本発明の目的にはそぐわない。後者は軽量ではあるが、手の小さい子供から大人までが利用できるものではない。
【００１１】
これに対して、本願発明の玩具は、外観は球状であるが繊維束の一部分をつかんで投げることが出来るし、外力により容易に変形するので、元の外観に較べて小さい手の子供で簡単につかみ、投げることが出来る。
【００１２】
さらに、本願発明の玩具は、転がらない。従って、投げそこなった場合でも転がってどこかに行ってしまう心配がない。
【００１３】
そして、本願発明の玩具の最大のユニークな特徴は、布帛にくっつくという事である。この接合性は、可逆的である。植物の中には人間の衣服や動物の毛に種子をくっつけて、遠くに運ぶ種があることが知られているが、本願発明の玩具はこの植物の種子と類似の機構で布帛に可逆的に接合するのである。
【００１４】
この性質は次のように利用することが出来る。例えば、布帛で的を作って本願発明の玩具を的に当てて遊ぶことが出来る。
【００１５】
また、本願発明の玩具をお互いにぶつけ合って遊ぶことも出来る。この場合、２０ｃｍほどの大きさのものであっても、これを強く投げても痛みを感じることはほとんどないので、子供同士や大人と子供の間であっても安全に楽しく遊ぶことが出来る。また、衣服にぶつけるとくっつくので、ドッジボールのようなゲームを安全に楽しむことが出来る。
【００１６】
これらの特徴は本願発明品でのみ見られるものであり、同じ繊維を用いたボールであっても上述した従来公知のものでは、得られない。
【００１７】
付着性向上には、繊維の単位重量当りの表面積が大きいことが必要となる。具体的には単糸繊度が０．５ｄｔｅｘ以下であれば、衣服などに投げて接合させることが出来る。０．５デシテックス（ｄｔｅｘ）以下で０．００１ｄｔｅｘ以上が好ましい。強度及び生産性から更により好ましくは、０．３ｄｔｅｘ以下で０．０１ｄｔｅｘ迄である。
【００１８】
本発明の玩具は合成繊維（フィラメント）から構成されることが好ましい。ポリマーは、特に限定するものではない。例えば、ポリオレフィン、ポリエステル、ポリアミドが挙げられる。ポリオレフィンとしては、ポリエチレン、ポリプロピレン（ＰＰ）及びこれらを主成分とする共重合オレフィン等が挙げられる。ポリエステルとしては、芳香族ポリエステル、脂肪族ポリエステルがある。芳香族ポリエステルとしては、ポリエチレンテレフタレート（ＰＥＴ）、ポリトリメチレンテレフタレート、ポリブチレンテレフタレートあるいはこれらにイソフタル酸、スルホイソフタル酸、アジピン酸等の２塩基酸、トリメチレングリコール、ポリエチレングリコール等のジオール類を少量共重合したものが使用できる。脂肪族ポリエステルとしては、ポリ乳酸やポリグリコール酸のようなポリ（α−ヒドロキシ酸）、又はこれらを主成分とした共重合物が挙げられる。ポリアミドとしては、例えば４ナイロン、６ナイロン（６Ｎ）、１１ナイロン、１２ナイロン、６６ナイロン、６１０ナイロン、６１２ナイロン及びそれらを成分とする共重合ナイロンが含まれる。
【００１９】
それぞれのポリマーに、各種抗菌剤、防臭剤、消臭剤、制電剤、難燃剤、染料、顔料等の添加剤を混合しても差し支えない。
【００２０】
繊維束は２種類以上の極細繊維を混合収束してもいいが、効果的に繊維束を作製するには割繊性複合繊維を使用できる。該割繊性複合繊維を構成するポリマーは、相互親和性の乏しい２種類の繊維形成性ポリマーの組合せが好ましい。例えばポリオレフィンとしては
、ポリプロピレン（ＰＰ）が耐熱性の点から好ましい。又、ポリエステルとしてはポリエチレンテレフタレート（ＰＥＴ）、ポリブチレンテレフタレートあるいはこれらにイソフタル酸、スルホイソフタル酸、アジピン酸等の２塩基酸、トリメチレングリコール、ポリエチレングリコール等のジオール類を少量共重合したものが使用できる。ポリエチレンテレフタレートにスルホイソフタル酸を酸成分に共重合したポリエチレンテレフタレートが好ましく、特に紡糸、延伸操業性に対しても効果的である。スルホイソフタル酸を共重合させる場合はその量は酸成分に対して１．５モル％以内とすることが好ましい。この範囲の共重合ＰＥＴは、ポリアミドと適度な接着性を有し、割繊むらが生じ難いので好ましい。
【００２１】
一方、割繊性複合繊維に用いるポリアミドとしては、４ナイロン、６ナイロン（６Ｎ）、６６ナイロン、１１ナイロン、１２ナイロン、６１０ナイロン、６１２ナイロン及びそれらを成分とする共重合ナイロンが含まれる。
【００２２】
最も好ましいポリマーの組合せとしては、ＰＰと６Ｎ、ＰＥＴと６Ｎである。
【００２３】
上記割繊性複合繊維の２種類のポリマーの接合比率は、セクション数や割繊後の単糸繊度により適宜決めれば良い。ポリオレフィンとポリアミドが長手方向に沿って接合された割繊性複合繊維を例に取ると、ポリマーの比率は１：１〜５：１であることが好ましい。
また、ポリエステルとポリアミドが長手方向に沿って接合された割繊性複合繊維のばあいの、ポリマーの比率は１：１〜５：１であることが好ましい。
【００２４】
該割繊性複合繊維の割繊方法としては、例えば、一方のポリマーの溶剤や分解剤による一部溶解除去、膨潤剤による膨潤収縮、加熱による変形や収縮、外力による摩擦や打撃などの方法などである。溶剤を用いて割繊させる場合、構成される一方のポリマーを完全に溶解・分解させて他方のポリマーの極細セグメントを得られるものよりも、両方のポリマーが残っているものの方が、微細な空隙が多い緻密な繊維束を得やすいので好ましい。好ましくは、アルカリ性水溶液によるポリエステル減量割繊方法が処理剤の残留も少なく好ましく、ＰＰと６Ｎから構成される極細繊維は沸騰水に浸漬することにより割繊され洗浄工程も比較的簡単でありコストの面からも非常に有利である。
【００２５】
繊維束を構成し標的に接触する繊維の５０重量％以上が極細繊維であることが好ましい。繊維束を構成するその他の繊維は限定されないが、沸水収縮率が極細繊維よりも５％以上高い繊維が好ましい。これは、繊維束からの繊維の脱落が防げ、繊維束の表面には極細繊維の密度が高くなり付着性が向上するからである。
【００２６】
第１図に本発明に使用できる割繊性複合繊維の形態の一例を示す。ａは、一種のポリマーが他のポリマーを分割する繊維横断面形態を示したものである。ｂは、２種類のポリマーが交互に積層し中央部に中空部を有する繊維の横断面形態を示したものである。ｃは、２種類のポリマーが交互に積層した繊維横断面形態を示したものである。
【００２７】
本願発明の利用目的を考慮すると、用いる繊維の長さは５０ｍｍ以上が必要となる。後は用途、使用方法などに合わせて適宜大きさを決めればよい。極端に繊維長が短いとくっつかなくなる。
【００２８】
本発明の玩具を付着させる標的としては、特に限定はしないが、上述した接合機構を考慮すると、シート、木板、金属板などの表面が平滑なものには接合しない。布帛より形成されたものが最適である。布帛としては、起毛されたもの、立毛したものが好ましい。立毛布帛は立毛繊維がカット又はループ状であっても良く嵩高加工糸も好ましい。織編み組織としては畝状、縞のような凹凸のある組織のものが好ましい。また、接合機構を考慮す
ると面ファスナーのオス面のようなものには強力に接合する。
【００２９】
本発明の玩具は、極細繊維からなるということで、清掃具として利用することも出来る。メガネレンズやテレビモニター等の埃を強力に取り除くことが出来る。この場合、清掃性を考慮すると分割後の繊維断面が多角形であることが好ましい。発明品自体が汚れれば洗濯すれば良い。
【００３０】
本発明に用いるこれらの繊維は適宜定法に従って染色することが出来る。従って本発明の玩具は、意匠性も高いものである。
【００３１】
また、柔軟な極細繊維から構成された球状繊維束なので、ぶつけられても怪我をすることは考えにくい、きわめて安全な玩具である。
【００３２】
使用方法としては、設定された標的に投げて付着させる他に、人が着る衣料にも付着させることも出来る。アクセサリーとして衣料に付着させたり、インテリヤとしても使用できる。単にキャッチボールのように使用することも可能である。更には、清掃具としても使用可能である。又、球状繊維束からなる玩具は洗濯が容易であり、繰り返し使用が可能である。
【実施例】
【００３３】
以下実施例を挙げて、本発明を具体的に説明するが、本発明はこれらの実施例になんら限定されるものでない。
【００３４】
実施例１
３０℃オルソクロロフェノール溶液の固有粘度が０．６５のポリエチレンテレフタレート（ＰＥＴ）と２５℃濃硫酸での１ｇ／１００ｍｌ溶液の相対粘度が２．５の６ナイロン（６Ｎ）とを個別に溶融押出し、ＰＥＴ：６Ｎの比率２：１を図１ａの如く放射状の６ＮがＰＥＴを８分割している割繊性複合繊維を通常に紡糸延伸して１１０ｄｔｅｘ／５０ｆの延伸糸を得た。
【００３５】
得られた割繊性複合繊維を８００本のかせ状にし一箇所を収束し、収束個所を中心に全長２５ｃｍにてカットした。得られた繊維集合束をベンジルアルコール１５％水溶液に常温にて１０分間浸漬し、余分なベンジルアルコール水溶液を搾り取った後、６０℃の湯に１０分間振動浸漬させて割繊を実施した。割繊後十分に水洗した後に割繊された極細繊維集合束を１３０℃にて分散染料で染色、還元洗浄を実施した。ＰＥＴの扁平率は１．６であり、表面積は概算では約９０００ｃｍ２であった。球状繊維束に形成された玩具が得られた。
【００３６】
得られた柔軟な毛足の長い球状繊維束の玩具は意匠性が高く、通常のトリコットからなる立毛状カーシートを標的にしたところ３ｍの距離から投げても標的に付着した。玩具は容易に的から取り外すことができ、繰り返し何度も使用可能であった。
【００３７】
実施例２
実施例１に使用した割繊性複合繊維のＰＥＴの代わりにＭＦＲ値（ＪＩＳ  Ｋ７１１０：９９）２０である繊維用ＰＰを用い、繊維径が同様になるように８４ｄｔｅｘ／５０ｆを作製した。実施例１と同様な割繊処理を実施して球状繊維束が得られた。実施例１で使用した標的にも実施例１と同様に標的に付着した。
【産業上の利用可能性】
【００３８】
本発明の玩具は、意匠性の高い柔軟な極細繊維から構成された球状繊維束を標的に付着
させる安全なものである。使用方法としては、設定された標的に投げて付着させる他に、人が着る衣料にも付着させることも出来る。アクセサリーとして衣料に付着させたり、インテリヤとしても使用できる。単にキャッチボールのように使用することも可能である。更には、清掃具としても使用可能である。又、球状繊維束からなる玩具は洗濯が容易であり、繰り返し使用が可能である。幼児、年配者、療養者等にも利用可能な安全な玩具である。
【図面の簡単な説明】
【００３９】
【図１】本発明に利用可能な複合繊維の断面形状の例。
【図２】本発明品の外観。
【図３】本発明品を布製の的に当ててくっつけたところ。
【図４】本発明品を掴んでいる様子。
【符号の説明】
【００４０】
Ａ  ：ポリエステル（ポリプロピレン）成分
Ｂ  ：ポリアミド成分
【図１】
2006141740.tif 000003
【図２】
2006141740.tif 000004
【図３】
2006141740.tif 000005
【図４】
2006141740.tif 000006